(57)【要約】      （修正有） 【課題】 噴霧化された薬剤が直接目の部分に噴出されることなく、かつ洗眼範囲を拡大し、使用上の利便性を高めることのできる携帯型の噴霧式洗眼装置を提供する。【解決手段】噴霧手段３１と、洗眼当接部３２と、該噴霧手段と該洗眼当接部とに接続する連結管３３とを含んでなる形態型噴霧式洗眼装置３であって、該噴霧手段が、本体３１１と、該本体に設けて薬剤を収納する容器３１２と、該本体に内設し、かつ該容器を連動させて内容物である薬剤を噴霧化する電力モジュール３１３と、該連結管が接続する位置に形成され、かつ噴霧化されて該容器から放出される薬剤を吐出する吐出口３１４とを具えてなり、該連結管は、管壁３３１が管状を形成してなるとともに、該管壁が囲繞して形成される内部通路３３２が該吐出口に接続して噴霧化した薬剤の通過に供され、該連結管の管壁に少なくとも１以上の流路変更板３３３を設けて、噴霧化された薬剤が流れる該内部通路をＳ字状の流体通路にする。  【選択図】図３
0003208641.tif 000002
【実用新案登録請求の範囲】
【請求項１】
噴霧手段と、洗眼当接部と、該噴霧手段と該洗眼当接部とに接続する連結管とを含んでなる形態型噴霧式洗眼装置であって、
該噴霧手段が、本体と、該本体に設けて薬剤を収納する容器と、該本体に内設し、かつ該容器を連動させて該容器の内容物である薬剤を噴霧化する電力モジュールと、該本体の該連結管が接続する位置に形成され、かつ噴霧化されて該容器から放出される薬剤を吐出する吐出口とを具えてなり、
該連結管は、管壁が管状を形成してなるとともに、該管壁が囲繞して形成される内部通路が該吐出口に接続して噴霧化した薬剤の通過に供され、
該連結管の管壁に少なくとも１以上の流路変更板を設けて、噴霧化された薬剤が流れる該内部通路をＳ字状の流体通路にすること、を特徴とする形態型噴霧式洗眼装置。
【請求項２】
前記連結管が屈折して形成されることを特徴とする請求項１に記載の形態型噴霧式洗眼装置。
【請求項３】
前記流路変更板が２以上設けられ、かつそれぞれの流路変更板が該連結管の該管壁に間隔を開けて設けられることを特徴とする請求項１、もしくは請求項２に記載の形態型噴霧式洗眼装置。
【請求項４】
前記流路変更板が、該連結管の該管壁と一体に形成されることを特徴とする請求項１に記載の形態型噴霧式洗眼装置。
【請求項５】
前記流路変更板が、該連結管と一体に形成されることを特徴とする請求項３に記載の形態型噴霧式洗眼装置。
【請求項６】
前記流路変更板が、該連結管の該管壁に嵌設されることを特徴とする請求項３に記載の形態型噴霧式洗眼装置。
【考案の詳細な説明】
【技術分野】
【０００１】
この考案は洗眼装置に関し、特に携帯に適した噴霧式洗眼装置に関する。
【背景技術】
【０００２】
図１に開示するように、従来の噴霧式洗眼装置１は、噴霧手段１１と、洗眼当接部１２と、及び噴霧手段１１と洗眼当接部１２とを繋ぐ連結管１３とを含む。噴霧手段１１は、例えば洗眼剤である薬剤（図示しない）の収納に供する容器１１２が形成された本体１１１を具える。
【０００３】
また、本体１１１には、容器１１２に収納する薬剤を噴霧化するための電力モジュール１１３（図面においては簡略して示す）を内設するとともに、連結管１３に連通し、噴霧化した容器１１２の薬剤を放出するための吐出口１１４を形成する。
【０００４】
連結管１３は、管壁１１３が管状を形成してなり、管壁１１３が囲繞して形成される内部通路１３２は、吐出口１１４に連通して薬剤の通過に供する。
【０００５】
上述する構造の噴霧式洗眼装置１を使用する場合は、洗眼当接部１２を目の部分に当接させ、容器１１２を電力モジュール１１３に連動させる。このため、容器１１２に振動が発生し、容器１１２に収納した薬剤が、容器１１２の振動の過程で徐々に噴霧化され、かつ吐出口１１４から内部通路１３２を通過して洗眼当接部１２に放出されて使用者の目に至り、噴霧化した薬剤によって洗眼作用を達成する。
【０００６】
上述する従来の噴霧式洗眼装置１は、洗眼当接部１２を使用者の目の部分に当接させて用いるため、薬剤が容器１１２内で振動することから発生する噴霧化によって吐出口１１４から連結管１３を通過して直接外部に放出される。即ち、何ら遮られることなく直接使用者の目の部分に至り洗眼の効果を得る。然しながら、このように何ら遮られることなく直接噴霧化された薬剤が放出される方式では、噴霧手段１１によって発生する圧力が強すぎると、噴霧化した薬剤が使用者の目の部分に高速で、かつ直接噴射される。このため使用者は目に不快感を覚えることがあり、甚だしくは噴霧化された薬剤の噴射速度が速すぎることから、使用者の目の部分が傷害を受けることもある。
【０００７】
また、連結管１３内か、又は吐出口１１４に異物、不純物などが付着していた場合、使用者が係る状況を確認することなく洗眼当接部１２を目の部分に当てて使用すると、連結管１３内か、又は吐出口１１４に付着した異物、不純物などが噴霧化した薬剤の噴射によって直接使用者の目の部分に至ることがあり、この場合、目に障害を与える恐れがある。よって、改善する必要がある。
【考案の概要】
【考案が解決しようとする課題】
【０００８】
この考案は、噴霧化された薬剤が直接目の部分に噴出されることなく、かつ洗眼範囲を拡大し、使用上の利便性を高めることのできる携帯型の噴霧式洗眼装置を提供することを課題とする。
【課題を解決するための手段】
【０００９】
そこで、本考案者は従来の洗眼装置に見られる欠点に鑑み鋭意研究を重ねた結果、噴霧化した薬剤の流路に流路変更板を設けてＳ字状の流路を形成した形態型噴霧式洗眼装置によって課題を解決でできる点に着眼し、係る知見に基づいて本考案を完成させた。
【００１０】
以下この考案について説明する。請求項１に記載形態型噴霧式洗眼装置は、噴霧手段と、洗眼当接部と、該噴霧手段と該洗眼当接部とに接続する連結管とを含んでなる形態型噴霧式洗眼装置であって、
該噴霧手段が、本体と、該本体に設けて薬剤を収納する容器と、該本体に内設し、かつ該容器を連動させて該容器の内容物である薬剤を噴霧化する電力モジュールと、該本体の該連結管が接続する位置に形成され、かつ噴霧化されて該容器から放出される薬剤を吐出する吐出口とを具えてなり、
該連結管は、管壁が管状を形成してなるとともに、該管壁が囲繞して形成される内部通路が該吐出口に接続して噴霧化した薬剤の通過に供され、
該連結管の管壁に少なくとも１以上の流路変更板を設けて、噴霧化された薬剤が流れる該内部通路をＳ字状の流体通路にする。
【００１１】
請求項２に記載する形態型噴霧式洗眼装置は、請求項１における連結管が屈折して形成される。
【００１２】
請求項３に記載する形態型噴霧式洗眼装置は、請求項１、もしくは請求項２における流路変更板が２以上設けられ、かつそれぞれの流路変更板が該連結管の該管壁に間隔を開けて設けられる。
【００１３】
請求項４に記載する形態型噴霧式洗眼装置は、請求項１における流路変更板が、該連結管の該管壁と一体に形成される。
【００１４】
請求項５に記載する形態型噴霧式洗眼装置は、請求項３における流路変更板が、該連結管の該管壁と一体に形成される。
【００１５】
請求項６に記載する形態型噴霧式洗眼装置は、請求項３における流路変更板が、該連結管の該管壁に嵌設される。
【図面の簡単な説明】
【００１６】
【図１】従来の噴霧式洗眼装置の構造を示した説明図である。
【図２】この考案による形態型噴霧式洗眼装置の構造を示した説明図である。
【図３】この考案における流路変更板を２つ設けた実施の形態を示した説明図である。
【図４】この考案における流路変更板を２つ設けた他の実施形態を示した説明図である。
【図５−１】この考案における流路変更板を２つ設けたその他の実施形態を示した説明図である。
【図５−２】この考案における流路変更板を２つ設けた別の実施形態を示した説明図である。
【図６】この考案による形態型噴霧式洗眼装置の使用態様を示した説明図である。
【考案を実施するための形態】
【００１７】
この考案は、噴霧化された薬剤が直接目の部分に噴出されることなく、かつ洗眼範囲を拡大し、使用上の利便性を高めることのできる携帯型の噴霧式洗眼装置を提供するものであって、噴霧手段と、洗眼当接部と、該噴霧手段と該洗眼当接部とに接続する連結管とを含んでなる形態型噴霧式洗眼装置であって、該噴霧手段が、本体と、該本体に設けて薬剤を収納する容器と、該本体に内設し、かつ該容器を連動させて該容器の内容物である薬剤を噴霧化する電力モジュールと、該本体の該連結管が接続する位置に形成され、かつ噴霧化されて該容器から放出される薬剤を吐出する吐出口とを具えてなり、該連結管は、管壁が管状を形成してなるとともに、該管壁が囲繞して形成される内部通路が該吐出口に接続して噴霧化した薬剤の通過に供され、該連結管の管壁に少なくとも１以上の流路変更板を設けて、噴霧化された薬剤が流れる該内部通路をＳ字状の流体通路にしてなる。係る形態型噴霧式洗眼装置の構造と特徴を説明するために、具体的な実施例を挙げ、図面を参照にして以下に詳述する。
【実施例１】
【００１８】
図３にこの考案の好ましい実施の形態を開示する。図面によれば、携帯型噴霧式洗眼装置３は、噴霧手段３１と、洗眼当接部３２と、及び噴霧手段３１と洗眼当接部３２とに接続する連結管３３とを含んでなる。
【００１９】
噴霧手段３１は、本体３１１と、本体３１１上に設けて薬剤（図示しない）を収納する容器３１２と、本体３１１に内設し、容器３１２を連動させて容器３１２の内容物である薬剤を噴霧化する電力モジュール３１３と、本体３１１の連結管３３が接続する位置に形成され、かつ噴霧化されて容器３１２から放出される薬剤を吐出する吐出口３１４とを具える。
【００２０】
連結管３３は、管壁３３１が管状を形成してなり、かつ管壁３３１が囲繞して形成される内部通路３３２は吐出口３１４に接続するとともに、管壁３３１に少なくとも１以上の流路変更板３３３を設ける。流路変更板３３３を設けることによって、Ｓ字状の流体通路が形成される
【００２１】
連結管３３は、図面に開示するように屈折させて形成してもよい。同時に、異なるニーズに合わせ、流体の当たる方向が異なる少なくとも２以上の流路変更板３３３を、間隔を開けて設ける。このため図３、図４に開示するように、内部通路３３２を異なる形態の流体通路とし、噴霧手段３１の異なる噴射速度、圧力に対応させることができる。以下は連結管３３に間隔を開けて二つの流路変更板３３３を設ける実施の形態について説明する。
【００２２】
また、複数の流路変更板３３３は、図３、４に開示するように、一部を嵌設し、一部を連結管３３の管壁３３１と一体に形成するか、又は図５-１、５-２に開示するように管壁３３１上に間隔を開けて一体に形成してモジュール化するようにしてもよく、いずれも薬剤の異なる噴霧化の効果に合わせ設計し、使用者の選択に供する。
【００２３】
図３、６に開示するように、この考案による携帯型噴霧式洗眼装置３を使用する場合は、使用上のニーズに基づき容器３１２に使用する薬剤を入れるか、もしくは容器３１２内に洗浄用として生理食塩水か、もしくは純水（図示しない）を入れ、本体３１１の電力モジュール３１３を作動させる。よって、電力モジュール３１３の作動によって振動が発生し、容器３１２内の薬剤（又は生理食塩水又は純水）が振動の過程で噴霧化し、同時に吐出口３１４から圧力が放出されて噴霧化した薬剤（又は生理食塩水又は純水）が連結管３３に流れ、かつ分流して洗眼当接部３２に流れる。したがって、洗眼当接部３２を使用者の目の部分に当てることで洗眼の目的を迅速に達成することができる。
【００２４】
使用の過程において、連結管３３が屈折して形成されていて、また連結管３３に間隔を開けて複数の流路変更板３３３を設けることにより、内部通路３３２においてＳ字状の流体通路が形成される。即ち、流路変更板３３３によって流体の流れを遮る効果が得られ、かつ吐出口３１４から噴霧化した薬剤などを放出する際の圧力を効率よく緩和すべく流体の経路を変更することができる。しかも、噴霧化した薬剤などが流路を変更することによって洗眼当接部３２の周囲にまで拡散し、洗眼の範囲が拡大する。同時に、吐出口３１４に異物、不純物などが付着していた場合、複数の流路変更板３３３を設けることと、図６に開示するように連結管３３を屈折させることによって、これら異物、不純物を遮り、直接使用者の目の部分に吹き付けられて傷害を与えることを防ぐ。したがって、使用者に対する好ましい洗眼の効果が得られる。
【符号の説明】
【００２５】
１    噴霧式洗眼装置
１１    噴霧手段
１２    洗眼当接部
１３    連結管
１１１    本体
１１２        容器
１１３    管壁
１１４    吐出口
１３１    吸気孔
１３２    内部通路
３    形態型噴霧式洗眼装置
３１    噴霧手段
３２    洗眼当接部
３３    連結管
３１１    本体
３１２    容器
３１３    電力モジュール
３１４    吐出口
３３１    管壁
３３２    内部通路
３３３    流路変更板
【図１】
0003208641.tif 000003
【図２】
0003208641.tif 000004
【図３】
0003208641.tif 000005
【図４】
0003208641.tif 000006
【図５−１】
0003208641.tif 000007
【図５−２】
0003208641.tif 000008
【図６】
0003208641.tif 000009